(57)【特許請求の範囲】
【請求項１】
透光性環状目盛り盤（１０ａ、１０ｇ）と、
この目盛り盤の中空部（１２）から露呈する表示面と、この表示面の外周側にて前記目盛り盤の裏面に対向する透光性外周部とを有し、前記目盛り盤にその裏面に沿い設けられた表示パネル（６０）と、
この表示パネルを駆動する駆動回路（１３０）と、
前記目盛り盤及び表示パネルの各表面に沿い前記中空部の中心を軸として回動する指針（３０ａ）と、
前記表示パネルの前記外周部を通して前記目盛り盤に光を入射する光源（１００）と、
前記表示パネルにその表示面から複数の表示情報を表示させるように前記駆動回路を制御する制御手段（１２０）とを備え、
前記表示パネルは、前記表示面と前記透光性外周部とを有する液晶パネルであって、
この液晶パネルの裏面側にはその前記表示面に対応して、前記制御手段により制御されて互いに異なる色で発光する複数の光源（９０ａ、９０ｂ）が配設されており、
前記液晶パネルは、その表示情報の表示を、前記各光源の発光色の違いにより異なる色にて行うことを特徴とする計器。
【請求項２】
前記目盛り盤は前記指針により指示される円弧状文字表示部（１５）を備え、
前記制御手段は、前記表示パネルが、その表示にあたり、前記円弧状文字表示部の内周に沿い円弧状目盛り表示部（６２、６３）を表示するように、前記駆動回路を制御することを特徴とする請求項１に記載の計器。
【請求項３】
前記制御手段は、前記表示パネルが、その目盛り表示部を表示するあたり、当該目盛り表示部の目盛り間隔を変えるように、前記駆動回路を制御することを特徴とする請求項２に記載の計器。
【発明の詳細な説明】
【０００１】
【発明の属する技術分野】
本発明は計器に関する。
【０００２】
【従来の技術】
従来、この種の計器としては、例えば、実開昭５４−３５６６８号公報にて示すような時計がある。この時計では、環状の液晶パネルを目盛り盤とし、スイッチの切り換えにより異なった指標を選択して、指針により情報をアナログ表示するようになっている。
【０００３】
【発明が解決しようとする課題】
しかし、上記時計では、目盛り盤が環状となっているため、この目盛り盤の中央部はデッドスペースとなっている。換言すれば、目盛り盤の中央部は何ら有効に利用されておらず、省スペース化の要請に反する。
【０００４】
そこで、本発明は、このようなことに対処するため、目盛り盤の中央部をも有効に活用するようにした計器を提供することを目的とする。
【０００５】
【課題を解決するための手段】
上記課題の解決にあたり、請求項１に記載の発明に係る計器は、
透光性環状目盛り盤（１０ａ、１０ｇ）と、
この目盛り盤の中空部（１２）から露呈する表示面と、この表示面の外周側にて目盛り盤の裏面に対向する透光性外周部とを有し、目盛り盤にその裏面に沿い設けられた表示パネル（６０）と、
この表示パネルを駆動する駆動回路（１３０）と、
目盛り盤及び表示パネルの各表面に沿い中空部の中心を軸として回動する指針（３０ａ）と、
表示パネルの外周部を通して目盛り盤に光を入射する光源（１００）と、
表示パネルにその表示面から複数の表示情報を表示させるように駆動回路を制御する制御手段（１２０）とを備え、
前記表示パネルは、前記表示面と前記透光性外周部とを有する液晶パネルであって、
この液晶パネルの裏面側にはその前記表示面に対応して、前記制御手段により制御されて互いに異なる色で発光する複数の光源（９０ａ、９０ｂ）が配設されており、
前記液晶パネルは、その表示情報の表示を、前記各光源の発光色の違いにより異なる色にて行うことを特徴とする。
【０００６】
以上のように、表示パネルの表示面は、目盛り盤の中空部を通して露呈しているので、表示パネルの複数の表示情報が、目盛り盤１０ａの中空部でもって、目盛り盤による表示と共に集中的に表示される。このため、当該集中表示が、面白みのある斬新な見栄えを提供し得る。
【０００７】
また、請求項２に記載の発明に係る計器では、請求項１に記載の発明において、目盛り盤は指針により指示される円弧状文字表示部（１５）を備え、制御手段は、表示パネルが、その表示にあたり、円弧状文字表示部の内周に沿い円弧状目盛り表示部（６２、６３）を表示するように、駆動回路を制御することを特徴とする。
【０００８】
このように、表示パネル側にて目盛り盤の円弧状文字表示部の内周に沿い円弧状目盛り表示部を表示するようにしても、請求項１に記載の発明と実質的に同様の作用効果を達成できる。
【０００９】
また、請求項３に記載の発明に係る計器では、請求項２に記載の発明において、制御手段は、表示パネルが、その目盛り表示部を表示するあたり、当該目盛り表示部の目盛り間隔を変えるように、駆動回路を制御することを特徴とする。
【００１０】
このように、表示パネルが表示する目盛り表示部の目盛り間隔が変わることで、請求項１又は２に記載の発明の作用効果をより一層向上できる。
【００１７】
なお、上記各手段の括弧内の符号は、後述する実施形態に記載の具体的手段との対応関係を示すものである。
【００１８】
【発明の実施の形態】
以下、本発明の各実施形態を図面により説明する。
【００１９】
（第１実施形態）
図１及び図２は、本発明に係る乗用車用計器の一実施形態を示しており、この計器は、当該乗用車の車室内に設けたインストルメントパネルにコンビネーションメータとして配設されている。当該計器は、計器板１０を備えており、この計器板１０は上記インストルメントパネルの開口部内に支持されている。
【００２０】
計器板１０は、三つの目盛り盤１０ａ、１０ｂ、１０ｃ、三つのインジケータ部１０ｄ、１０ｅ、１０ｆとを備えている。なお、計器板１０の表面のうち各目盛り盤１０ａ、１０ｂ、１０ｃ及び各インジケータ部１０ｄ、１０ｅ、１０ｆ以外の部分は黒色印刷されている。
【００２１】
目盛り盤１０ａは、回動内機２０ａ及び指針３０ａ（図１、図２参照）等と共に車速計を構成するもので、この目盛り盤１０ａは、計器板１０の図１にて図示左右方向中央部に環状に形成されている。目盛り盤１０ａは、円弧状車速表示部１１を備えており、この車速表示部１１は透明となっている。また、目盛り盤１０ａの中空部１２は、その内周縁部にて、図２にて示すごとく、断面テーパ状にかつ末すぼまり状に図示下方へ延出している。なお、当該車速表示部１１の表面には、図１にて示すごとく、車速表示用の目盛り１１ａや文字１１ｂが黒色印刷されている。
【００２２】
回動内機２０ａは、内機本体２１を備えており、この内機本体２１は、ケーシング４０内にてその底壁４１に目盛り盤１０ａに対応する位置にて装着されている。また、回動内機２０ａは指針軸２２を備えており、この指針軸２２は、内機本体２１から後述する配線板５０の貫通穴部５１を通り後述する液晶パネル６０の貫通穴部６１内に向け回動可能に延出している。指針３０ａは、その回動基部３１のボスにて、目盛り盤１０ａの中空部１２を通り液晶パネル６０の貫通穴部６１に同軸的に挿通されて、指針軸２２の先端部に支持されている。
【００２３】
目盛り盤１０ｂは、これに対応して位置する回動内機２０ｂ（図３参照）及び指針３０ｂ（図１参照）等と共に当該乗用車のエンジンのタコメータを構成する。目盛り盤１０ｃは、円弧状燃料残量表示部１３及び円弧状水温表示部１４を備えている。目盛り盤１０ｃは、円弧状燃料残量表示部１３及びこれに対応して位置する回動内機２０ｃ（図３参照）及び指針３０ｃ等と共にフュエルゲージを構成し、また、円弧状水温表示部１４及びこれに対応して位置する回動内機２０ｄ（図３参照）及び指針３０ｄ等と共に水温ゲージを構成する。
【００２４】
なお、各目盛り盤１０ｂ、１０ｃは、目盛り盤１０ａと同様に透明となっており、目盛り盤１０ｂの円弧状回転数表示部並びに目盛り盤１０ｃの燃料表示部１２及び水温表示部１３には、目盛り及び文字が黒色印刷されている。
【００２５】
両インジケータ部１０ｄ、１０ｅは、当該乗用車の方向指示用インジケータの構成要素であり、インジケータ部１０ｆは、当該乗用車の変速機の変速指示用インジケータの構成要素である。
【００２６】
配線板５０は、ケーシング４０内にて、各回動内機２０ａ乃至２０ｄの内機本体の上端面に沿い支持されている。目盛り盤１０ａと配線板５０のうち目盛り盤１０ａに対応する部分との間には、環状隔壁７０が挟持されており、この隔壁７０は、目盛り盤１０ａと同軸的にかつ当該目盛り盤１０ａの外周部に対応して位置している。
【００２７】
液晶パネル６０は、図２にて示すごとく、目盛り盤１０ａと配線板５０の目盛り盤１０ａに対応する部分との間に介装されており、この液晶パネル６０は、目盛り盤１０ａの中空部１２の延出開口端部とこれに対向して配線板５０の表面から延出する環状隔壁８０の上端部との間に挟持されている。
【００２８】
液晶パネル６０は、透明の両電極基板６２、６３を備えており、これら両電極基板６２、６３の各外周部間には透明の環状シール部材６４が挟持されている。ここで、当該シール部材６４の内周面は、目盛り盤１０ａの中空部１２の内周縁部に対応している。また、両電極基板６２、６３の各中央部間には、透明の筒状シール部材６５が挟持されている。両電極基板６２、６３の間には、スメクチック液晶６６が、両シール部材６４、６５の間にて封入されている。
【００２９】
電極基板６２の外面のうち目盛り盤１０ａの中空部１２の内側に対応する部分には、円板状偏光板６７が貼着されており、一方、電極基板６３の外面のうち偏光板６７に対応する部分には、円板状偏光板６８が貼着されている。なお、両偏光板６７、６８はクロスニコルの位置にて貼着されている。
【００３０】
このように構成した液晶パネル６０は、その偏光板６７にて、目盛り盤１０ａの中空部１２から目盛り盤１０ａの表面側へ露呈している。換言すれば、液晶パネル６０の表示面は、両電極基板６２、６３間へのスメクチック液晶の封入領域、即ち偏光板６７の表面でもって特定される。この液晶パネル６０は、当該乗用車の方位表示、オドメータ表示、警告表示等のために使用される。なお、両電極基板６２、６３の間に封入する液晶はスメクチック液晶に限らず各種の液晶であってもよい。
【００３１】
複数対の発光ダイオード９０ａ、９０ｂは液晶パネル６０用光源として採用されており、これら各対の発光ダイオード９０ａ、９０ｂは、液晶パネル６０の偏光板６８に対向する位置にて、配線板５０の表面に、指針軸２２の軸周りに間隔をおいて配設されている。複数対の発光ダイオード９０ａ、９０ｂは、対毎に、互いに近接して位置している。発光ダイオード９０ａは緑色発光ダイオードからなるもので、当該発光ダイオード９０ａは駆動されて緑色光を液晶パネル６０の偏光板６８に入射する。また、発光ダイオード９０ｂは赤色発光ダイオードからなるもので、この発光ダイオード９０ｂは駆動されて赤色光を液晶パネル６０の偏光板６８に入射する。
【００３２】
複数の発光ダイオード１００は、目盛り盤１０ａ用光源として採用されており、これら各発光ダイオード１００は、両隔壁７０、８０の間にて、配線板５０の表面に、指針軸２２の軸周りに間隔をおいて配設されている。これら各発光ダイオード１００は、白色発光ダイオードからなるもので、当該各発光ダイオード１００は駆動されて光を液晶パネル６０の外周部（シール部材６４及びこれに対応する両電極基板６２、６３の外周部）を透過させて目盛り盤１０ａにその裏面側から入射する。
【００３３】
次に、当該計器の電気回路構成について図３を参照して説明する。センサ群１１０は、当該乗用車の車速、方位、エンジン回転数、エンジン冷却水温、燃料タンク内の燃料の残量等を検出する。制御回路１２０は、当該乗用車のイグニッションスイッチＩＧを介しバッテリＢから給電されて、センサ群１１０の検出出力に基づき、各回動内機２０ａ乃至２０ｄ、各発光ダイオード９０ａ、９０ｂ、１００、液晶パネル駆動回路１３０及び各インジケータ用光源１４０ａ乃至１４０ｃの駆動制御を行う。
【００３４】
液晶パネル駆動回路１３０は、制御回路１２０による制御を受けて、センサ群１１０の検出出力に基づき液晶パネル６０の表示駆動を行う。なお、各光源１４０ａ、１４０ｂ、１４０ｃは、配線板５０の表面に設けられて、各インジケータ部１０ｄ、１０ｅ、１０ｆの光源としてそれぞれ機能する。
【００３５】
以上のように構成した本第１実施形態においては、各回動内機２０ａ乃至２０ｄは、センサ群１１０からの車速、エンジン回転数、燃料残量及びエンジン冷却水温に応じて制御回路１２０により駆動制御されて、それぞれ、各指針３０ａ乃至３０ｄを回動させる。
【００３６】
これにより、指針３０ａはその回動に応じて目盛り盤１０ａ上にて車速を指示表示し、指針３０ｂはその回動に応じて目盛り盤１０ｂ上にてエンジン回転数を指示表示し、指針３０ｃはその回動に応じて目盛り盤１０ｃ上にて燃料の残量を指示表示し、また、指針３０ｄはその回動に応じて目盛り盤１０ｃ上にてエンジン冷却水温を指示表示する。このとき、各発光ダイオード１００が制御回路１２０により駆動されると、これら各発光ダイオード１００の光は、液晶パネル６０の外周部及び目盛り盤１０ａの車速表示部１１を透過する。従って、指針３０ａによる指示表示は、各発光ダイオード１００の車速表示部１１に対する透光照明のもとになされる。
【００３７】
このような状態において、制御回路１２０が各発光ダイオード９０ａを駆動すれば、これら各発光ダイオード９０ａは緑色光を液晶パネル６０にその偏光板６８側から入射する。また、液晶パネル駆動回路１３０が、センサ群１１０の検出車速及び検出方位に基づき制御回路１２０により制御されて当該乗用車の走行距離及び方位を表示させるように当該液晶パネル６０を駆動すると、この液晶パネル６０は、その表示面にて、各発光ダイオード９０ａからの緑色光を透過させて、走行距離及び方位を表示する（図１参照）。
【００３８】
また、制御回路１２０が各発光ダイオード９０ｂを駆動すれば、これら各発光ダイオード９０ｂは赤色光を液晶パネル６０にその偏光板６８側から入射する。また、液晶パネル駆動回路１３０が、センサ群１１０の検出車速及び検出シートベルト付着状態に基づき制御回路１２０により制御されて当該乗用車の走行距離及びシートベルト付着状態警告パターンを表示させるように当該液晶パネル６０を駆動すると、液晶パネル６０は、その表示面にて、各発光ダイオード９０ｂからの赤色光を透過させて、走行距離及びシートベルト付着状態警告パターンを表示する（図４参照）。
【００３９】
ここで、液晶パネル６０の表示面は、目盛り盤１０ａの中空部１２を通して露呈しているので、液晶パネル６０の表示情報が、目盛り盤１０ａの中空部でもって、目盛り盤１０ａによる車速表示と共に集中的に表示される。このため、当該集中表示が、面白みのある斬新な見栄えを提供し得る。また、液晶パネル６０の表示情報がその表示色の切り換え（緑色表示及び赤色表示間の切り換え）でもって変化するので、上記見栄えの斬新さが、多くの表示情報の集中表示のもとに、より一層向上する。
【００４０】
また、目盛り盤１０ａは、配線板５０に向け、末すぼまり状に延出しているので、目盛り盤１０ａの表面は、液晶パネル６０の表示面との間に段差が形成されている。このため、この段差に起因して、液晶パネル６０の表示情報が目盛り盤１０ａに対し奥行き感をもって視認され得る。その結果、上記作用効果をより一層向上できる。
【００４１】
また、上述のように液晶パネル６０を環状の目盛り盤１０ａにその裏面側から重ねて設け、液晶パネル６０の偏光板６７を目盛り盤１０ａの中空部１２からその表面側へ露呈させるようにしたので、目盛り盤１０ａのデッドスペースである中空部１２を有効に活用した集中表示が可能となる。従って、この種の計器において要請される省スペース化を確保しつつ上述した面白みのある斬新な見栄えをも確保できる。
【００４２】
（第２実施形態）
図５及び図６は、本発明の第２実施形態を示している。この第２実施形態では、上記第１実施形態にて述べた計器板１０は、目盛り盤１０ａに代えて、目盛り盤１０ｇを設けた構成となっている。当該目盛り盤１０ｇの表面には、円弧状車速表示部１５が形成されているが、この車速表示部１５は、上記目盛り盤１０ａに形成した車速表示部１１とは異なり、車速表示用目盛りをなくし車速表示用文字１５ａ（各文字間の点マークも含む）のみにより構成されている。
【００４３】
また、液晶パネル６０は、上記第１実施形態とは異なり、車速表示用円弧状目盛り部６２或いは６３（図５或いは図６参照）を目盛り盤１０ｇの内周縁部に沿い表示するように液晶パネル駆動回路１３０を介し制御回路１２０により表示駆動される。但し、目盛り部６２の目盛り間隔は、目盛り部６３の目盛り間隔とは異なり狭くなっている。
【００４４】
ここで、目盛り盤１０ｇは、目盛り盤１０ａに代えて、各発光ダイオード１００により白色光による透過照明がなされる。また、液晶パネル６０は、目盛り部６２と共に、走行距離及び制限車速を表示するように液晶パネル駆動回路１３０を介し制御回路１２０により駆動されるが、この液晶パネル６０の表示は、各発光ダイオード９０ａの緑色光を液晶パネル６０に入射することでなされる。また、液晶パネル６０は、目盛り部６３と共に、走行距離及び燃料不足（ＬＯ  ＦＵＥＬ及び燃料不足マークによる）を表示するように液晶パネル駆動回路１３０を介し制御回路１２０により駆動されるが、この液晶パネル６０の表示は、各発光ダイオード９０ｂの赤色光を液晶パネル６０に入射することでなされる。なお、各発光ダイオード９０ａは、例えば、青緑色で発光する発光ダイオードであってもよく、また、各発光ダイオード９０ｂは、例えば、アンバー色で発光する発光ダイオードであってもよい。
【００４５】
このように上記第１実施形態とは異なり、目盛り盤を構成する目盛り部を液晶パネル６０で表示するようにしても、上記第１実施形態と同様の作用効果を達成できる。また、両目盛り部６２、６３の各目盛り間隔は相互に異なっているので、当該目盛り間隔の相違が、上記作用効果をより一層向上する。
【００４６】
（第３実施形態）
図７及び図８は、本発明の第３実施形態を示している。この第３実施形態では、上記第１実施形態にて述べた計器板１０が、目盛り盤１０ａに代えて、目盛り盤１０ｈを設けた構成となっている。目盛り盤１０ｈは、その外周部にて、円弧状車速表示部１６を備えており、この車速表示部１６は、図７にて示すごとく、円弧状文字部１６ａと、円弧状目盛り部１６ｂとを有するように、断面略逆Ｖ字状に形成されている。
【００４７】
また、本第３実施形態では、液晶パネル６０Ａ、環状導光部材１５０及び導光板１６０が採用されている。液晶パネル６０Ａは、上記第１実施形態にて述べた液晶パネル６０に代わるもので、この液晶パネル６０Ａは、導光板１６０と導光部材１５０との間に介装されている。この液晶パネル６０Ａは、シール部材６４が不透明であること及び両偏光板６７、６８の貼着範囲を除き、上記液晶パネル６０と実質的に同様の構成を有する。各偏光板６７、６８は、図７から分かるように、上記第１実施形態とは異なり、両電極基板６２、６３の各外面の全体に亘り貼着されている。
【００４８】
導光板１６０は、ケーシング４０の断面コ字状ホルダー４２内に収容されており、この導光板１６０の表面には、液晶パネル６０Ａが併設されている。また、導光板１６０は、複数の導入部１６１を備えており、これら各導入部１６１は、ホルダー４２の底壁に形成した各開口部４２ａを通り、図７にて図示下方へ上へ凸な断面形状でもって延出している。
【００４９】
また、各光源１６０ａが、導光板１６０の各導入部１６１の延出端部に対向するようにリフレクタ１６０ｂ上に配設されており、これら各光源１６０ａは、光を、導光板１６０内に各導入部１６１から入射する。これにより、導光板１６０はその入射光を面状光として液晶パネル６０Ａに入射する。なお、リフレクタ１６０ｂは、配線板５０の各開口部５２内にて支持されている。
【００５０】
導光部材１５０は、図７及び図８にて示すごとく、断面逆Ｖ字状の環状導光部１５１と、複数の導入部１５２とにより構成されている。環状導光部１５１は、目盛り盤１０ｈの車速表示部１６にその裏面側からはめあわされており、この導光部１５１は、その裏面にて、液晶パネル６０Ａの偏光板６７の外周部上に着座している。これにより、液晶パネル６０Ａは、導光部材１５０と導光板１６０との間に挟持されている。
【００５１】
各導入部１５２は環状導光部１５１の外周部から等角度間隔にて延出されており、これら各導入部１５２は、ケーシング４０の環状壁部４３（ホルダー４２の底壁と一体となっている）の各開口部４３ａを通り各光源１５０ａに向けて彎曲状に延出している。ここで、各光源１５０ａは、配線板５０の表面上に各導入部１５２の延出端部にそれぞれ対向して配設されている。
【００５２】
これにより、各光源１５０ａは、その光を、環状導光部１５１内に各導入部１５２から入射する。これに伴い、導光部材１５０は、その入射光を、環状導光部１５１から目盛り盤１０ｈの車速表示部１６に入射して透過させる。なお、図７にて符号１７０は、上記第１実施形態では説明しなかったフロントパネルを示す。
【００５３】
このように構成した本第３実施形態では、導光部材１５０が、液晶パネル６０Ａ用導光板１６０との間にて液晶パネル６０Ａを挟持するので、導光部材１５０が、目盛り盤１０ｈの照明用としての役割に加え、液晶パネル６０Ａを導光板１６０との間に挟持する部材としての役割をも果たす。従って、液晶パネル６０Ａを導光板１６０との間に挟持する部材を別途設ける必要がない。
【００５４】
また、液晶パネル６０Ａは、導光板１６０から面状光を入射されて、表示面（目盛り盤１０ｈの中空部から露呈する偏光板６７の表面部に対応）にて、上記第１実施形態と同様の表示を行うととともに、目盛り盤１０ｇは、導光部材１５０からの入射光を透過させることで指針３０ａの指示のもと車速を表示する。
【００５５】
ここで、目盛り盤１０ｈの照明用導光部材１５０を、液晶パネル６０Ａの照明用導光板１６０とは独立的に設けるようにしたので、液晶パネル６０Ａの外周部を通して目盛り盤１０ｈに光を透過させる必要がない。従って、両偏光板６７、６８は、各電極基板６２、６３の外面の全体に亘り貼着しておけばよく、上記第１実施形態にて述べたように、目盛り盤１０ｈの中空部内の範囲に限定するような面倒な偏光板の切り取り作業は不要である。
【００５６】
また、上記第１実施形態では、各偏光板６７、６８が円形状に予め切り取り処理されている場合には、両電極基板６２、６３への貼着時に双方の光軸合わせが面倒であるが、このような面倒は、本第３実施形態にて述べたように、両偏光板６７、６８を両電極基板６２、６３の外面の全体に貼着することで、解消できる。なお、上記第１実施形態とは液晶パネル６０Ａへの入射光の色が異なるものの、その他の構成及び作用効果は上記第１実施形態と実質的に同様である。
【００５７】
なお、本発明の実施にあたり、液晶パネル６０、６０Ａに代えて、例えば、エレクトロルミネッセンスパネルを採用してもよい。
【００５８】
また、本発明の実施にあたり、液晶パネルの表示情報は、上記各実施形態にて述べた内容に限ることなく、例えば、メッセージや当該乗用車の変速機の変速位置等各種の表示情報であってもよい。
【００５９】
また、本発明の実施にあたり、乗用車用計器に限ることなく、自動車等の車両用計器に本発明を適用してもよい。
【図面の簡単な説明】
【図１】本発明の第１実施形態を示す計器の正面図である。
【図２】図１にて２−２線に沿う断面図である。
【図３】上記第１実施形態の電気回路の構成を示すブロック図である。
【図４】上記第１実施形態における他の表示例示図である。
【図５】本発明の第２実施形態を示す計器の正面図である。
【図６】上記第２実施形態における他の表示例示図である。
【図７】本発明の第３実施形態を示す計器の部分断面図である。
【図８】図７の液晶パネル及び導光部材の斜視図である。
【符号の説明】
１０ａ、１０ｅ…目盛り盤、１１…中空部、１５…円弧状文字表示部、
３０ａ…指針、６０、６０Ａ…液晶パネル、
６２、６３…円弧状目盛り表示部、６７…偏光板、
９０ａ、９０ｂ、１００…発光ダイオード、１２０…制御回路、
１３０…液晶パネル駆動回路、１５０…導光部材、
１５０ａ、１６０ａ…光源、１６０…導光板。
【図１】
0003541780.tif 000002
【図２】
0003541780.tif 000003
【図３】
0003541780.tif 000004
【図４】
0003541780.tif 000005
【図５】
0003541780.tif 000006
【図６】
0003541780.tif 000007
【図７】
0003541780.tif 000008
【図８】
0003541780.tif 000009